(57)【特許請求の範囲】
【請求項１】
コードヒータを挿通させたパイプが接続される第１継手部と、前記第１継手部に対し流体移動路を介して一体化されている第２継手部と、前記コードヒータを流体密状態で外部に引き出すための栓体挿入部とを有する管継手の加熱・保温カバーにおいて、管継手のうち少なくとも第２継手部を含む部分を覆っており、前記第２継手部の押込み型の操作部材と対面するカバー構成壁面を切り込んで、弾性を有する押し込み片を形成してあることを特徴とする管継手の加熱・保温カバー。
【請求項２】
カバー構成壁面の切り込み軌跡はコ字状であり、前記コ字状部分を押し込むことにより操作部材が押し込まれるようにしてあることを特徴とする請求項１記載の管継手の加熱・保温カバー。
【請求項３】
第２継手部はクイックコネクタであることを特徴とする請求項１又は２記載の管継手の加熱・保温カバー。
【発明の詳細な説明】
【技術分野】
【０００１】
この発明は、コードヒータを挿通させたパイプを有する装置、特に前記装置に取り付けられている管継手の加熱・保温カバーに関するものである。
【背景技術】
【０００２】
ＳＡＥ  Ｊ２０４４(米国自動車技術会の規格)に適用する金属又は樹脂で成型された接続パイプは機器から長く突き出し、管継手は前記パイプの外側に取り付ける構造を採用していることから、流体が凍結する雰囲気温度条件では使用は困難である。また、流体が凍結した場合、解凍するのにも多くの時間を要する。
【０００３】
したがって、前記の如き雰囲気温度条件では、継手をケイ素やグラスファイバー等で保温するのが一般的である。
【０００４】
しかしながら、ケイ素やグラスファイバーなどの保温材では、例えばクイックコネクタを含むような管継手を有するような場合、外部操作ができるようにすることは極めて困難であるという問題があった。
【特許文献１】特開２００５−３５１３３３号公報
【特許文献２】特願２００７−１９７７０７
【発明の開示】
【発明が解決しようとする課題】
【０００５】
そこで、この発明では、断熱材として機能するものに覆われていても、管継手の継手部が外部操作可能である管継手の加熱・保温カバーを提供することを課題とする。
【課題を解決するための手段】
【０００６】
（請求項１記載の発明）
請求項１記載発明は、コードヒータを挿通させたパイプが接続される第１継手部と、前記第１継手部に対し流体移動路を介して一体化されている第２継手部と、前記コードヒータを流体密状態で外部に引き出すための栓体挿入部とを有する管継手の加熱・保温カバーにおいて、管継手のうち少なくとも第２継手部を含む部分を覆っており、前記第２継手部の押込み型の操作部材と対面するカバー構成壁面を切り込んで、弾性を有する押し込み片を形成してある。
【０００７】
（請求項２記載の発明）
請求項２記載の発明は、請求項１記載の発明に関し、カバー構成壁面の切り込み軌跡はコ字状であり、前記コ字状部分が押し込むことにより操作部材が押し込まれるようにしてある。
【０００８】
（請求項３記載の発明）
請求項３記載の発明は、請求項１又は２記載の発明に関し、第２継手部はクイックコネクタである。
【発明の効果】
【０００９】
この発明の管継手の加熱・保温カバーを採用した場合、管継手の形状にかかわらず包み込む施工が簡単であり、また、施工の良否等の影響を受けることなく効率よく加熱・保温できる。
【発明を実施するための最良の形態】
【００１０】
以下にこの発明の管継手の加熱・保温パイプを実施するための最良の形態として実施例について詳しく説明する。
【実施例１】
【００１１】
図１はこの発明の実施例１の加熱・保温パイプを有する装置の部分断面図、図２は前記加熱・保温パイプに取り付けられる管継手の外観斜視図、図３は第２継手部を閉状態とした断面図、図４は第２継手部を開状態とした断面図、図５は第１・第２カバー部の背面からの斜視図、図６は第１・第２カバー部の内面側が現れている斜視図、図７、図８は管継手と第２カバー部との図を示している。
【００１２】
（この加熱・保温パイプを有する装置の基本的な構成について）
この加熱・保温パイプを有する装置は、図１に示すように、パイプＰ内にコードヒータＣＨを挿通させて当該パイプＰ内を流れる流体を直接加熱・保温させるようにしてある。
【００１３】
また、この装置では、図１や図２に示すように、コードヒータＣＨを挿通させたパイプＰが圧入される竹の子状の第１継手部９０と、前記第１継手部９０に対し流体移動路９１を介して一体化されている第２継手部７（クイックコネクタ）と、上記コードヒータＣＨを流体密状態で外部に引き出すための栓体挿入部８とを有する管継手９を設けてある。
【００１４】
ここで、この装置では、図１に示すように、上記栓体挿入部８からその後方部側を覆う第１カバー部１と、接続部７９を除いた第２継手部７及び流体移動路９１を覆う第２カバー部２とが一体的に形成されており、前記第１カバー部１と第２カバー部２相互間に上記コードヒータＣＨを行き来させるための挿通路３を設けてある。
【００１５】
（上記管継手９の構造について）
この管継手９は、図１に示すように、上述した如く、第１継手部９０と、第２継手部７と、栓体挿入部８と、流体移動路９１から構成されているが、ここでは第２継手部７及び栓体挿入部８を説明する。
【００１６】
「栓体挿入部８について」
上記栓体挿入部８は、図１に示すように、円筒状の筒部８０に外周流体密状態に収容させる円柱状の本体８１と、前記本体８１において円筒軸方向に延びる二つの貫通孔８２と、前記貫通孔８２に設けられたシール部材８３と、前記貫通孔８２と同軸上に形成された孔８４を有し且つシール部材８３を本体８１外に取り出し可能・不能ならしめる抜け止め部材８５とから構成してある。これらの構成により、コードヒータＣＨを流体密状態で外部に引き出すことができるようにしてある。
【００１７】
「第２継手部７について」
上記第２継手部７は、図３、図４に示すようにクイックコネクタであり、以下のような構成のものである。
【００１８】
この第２継手部７は、内方に流体の流通孔７１を有する金属製の雄部材７２と、合成樹脂製の雌部材７３と、一対の操作部材７４とを具備している。
【００１９】
雌部材７３の内周領域は、一対の操作部材７４を介して雄部材７２の鍔状の係合部７５の受け入れを可能としている。前記一対の操作部材７４は、雄部材７２の鍔状の係合部７５の受け入れ軌跡に交叉する略「し」状の部分７６を有すると共に、互いに逆端方向から配設せしめられるようにしている。
【００２０】
前記操作部材７４は、連結用弾性片７７と着脱時案内用弾性片７８とを有する。そして、雌部材７３の内周壁７９に当接する各弾性片の付勢作用により、操作部材７４は雄部材７２の鍔状の係合部７５の受入れ軌跡に交叉した状態が維持されるようにしている。
【００２１】
一方、雄部材７２の着脱の際には、前記一対の操作部材７４がそれぞれ雄部材７２の鍔状の係合部７５の受入れ軌跡に交叉した連結位置から退避せしめるべく外周方向へ回動変位せしめられ、雄部材７２の鍔状の係合部７５への操作部材７４の係り合を解除するようにしている。
【００２２】
即ち、連結用弾性片７７と着脱時案内用弾性片７８との付勢作用に抗して、操作部材７４が、雄部材７２の受入れ軌跡に交叉した連結位置から退避せしめるべく変位せしめられるようにしている。
【００２３】
なお、この第２継手部７は、上記のものに限られるものではなく、一対の操作部材７４を押込むことにより雌部材７３に対して雄部材７２が取り外せるものであればどのような形態のものでもよい。例えば、特許第３２４３５５７号に開示されたものも使用できる。
【００２４】
（第１・第２カバー部１，２について）
上記管継手９を覆うカバー部は、図５や図６に示すように、第２カバー部２が半割り構造体（一方を符号２ａ、他方を符号２ｂで示す）となっており、第２カバー部２の半割り構造体２ａ側に第１カバー部１が一体化されている。なお、前記半割り構造体２ａ、２ｂ相互は帯状体２０によって接続されており、この半割り構造体２ａ、２ｂの自由端側相互については接続状態を維持できると共に取り外しもできるようにしてある。
【００２５】
第１カバー部１は、図７に示すように、全体としては正面視長方形状のものであり、１段目の浅い凹部１０と、前記凹部１０よりも深い２段目の長方形状の凹部１１とを有するものとしてある。ここで、前記凹部１０には上記栓体挿入部８が圧入され、この状態においては図１や図７に示すように、栓体挿入部８の圧入端と凹部１１の底との間にはコードヒータＣＨを半割り構造体２ａとの間で行き来させるための挿通路３が形成されている。
【００２６】
第２カバー部２は、図５に示すように、半割り構造体２ａ、２ｂを閉じた状態では略円筒形状となるようにしてあり、この部分には流体移動路９１及び第２継手部７が収容されるようになっている。
【００２７】
ここで、この半割り構造体２ａ、２ｂの内面側には、図６〜図８に示すように、複数の突起２１，２２により第２継手部が位置決め保持されるようにしてある。また、この半割り構造体２ａの内面側には、図７、図８に示すように、コードヒータＣＨを流体移動路９１に巻き付けるときに引っ掛ける態様で固定させるべく使用される一対の棒状の突起２５を設けている。
【００２８】
上記半割り構造体２ａ、２ｂの下部側には図１や図５〜図８に示すように、第２継手部７の接続部７９と対応する部分に半円形状の切欠部２３設けてあり、半割り構造体２ｂの上部側には、流体移動路９１が嵌り込む位置に半円形状の切欠部２４を設けてある。
【００２９】
更に、この半割り構造体２ａ、２ｂには、図５〜図８に示すように、上記した一対の操作部材７４と対応する部分に押し込み片５（半割り構造体２ａ、２ｂの後部側近傍をコ字状に切り込みを入れて形成）を設けており、第２カバー部２を取り外すことなく、押し込み片５の操作により管継手９に対して雄部材７２を着脱できるようにしてある。
【００３０】
なお、第１・第２カバー部１，２は、以上のような構成であるが、栓体挿入部８から引き出されたコードヒータＣＨは、挿通路３を介して流体移動路９１又は／及び第２継手部７の延長管に巻き付けられた後、再び挿通路３を介して第１カバー部１に戻され、上部開口１２を介して外部に排出されるようになっている。そして、前記排出されたコードヒータＣＨは、図示しないリード線を介して電源に接続されている。
【００３１】
（この加熱・保温パイプを有する装置の優れた効果について）
この実施例の管継手の加熱・保温カバーを採用した場合、以下のような効果を奏する。
【００３２】
上述した如く、ケイ素やグラスファイバーなどの保温材では、例えばクイックコネクタを含むような管継手を有するような場合、外部操作ができるようにすることは極めて困難である。
【００３３】
これに対して、この実施例のものでは、ケイ素やグラスファイバーに変えて合成樹脂で構成された第１・第２カバー部１，２としている。そして、半割り構造体２ａ、２ｂに、図５〜図８に示すように、上記した一対の操作部材７４と対応する部分に押し込み片５（半割り構造体２ａ、２ｂの後部側近傍をコ字状に切り込みを入れて形成）を設けており、第２カバー部２を取り外すことなく、押し込み片５の操作により管継手９に対して雄部材７２を着脱できるようにしてある。第２カバー部２は、管継手９との間に空域が設けられているので、コードヒータＣＨからの熱により保温効果は十分である。
【００３４】
つまり、この実施例の管継手の加熱・保温カバーを採用すると、断熱材として機能するものに覆われていても、管継手の継手部が外部操作可能となる。
【００３５】
（その他の実施例）
上記実施例にかえて、「コードヒータを挿通させたパイプが接続される第１継手部と、前記第１継手部に対し流体移動路を介して一体化されている第２継手部と、前記コードヒータを流体密状態で外部に引き出すための栓体挿入部とを有する管継手の加熱・保温カバーにおいて、管継手のうち少なくとも第２継手部を含む部分を覆っており、前記第２継手部の押込み型の操作部材と対面するカバー構成壁面を切り込んで、弾性を有する押し込み片を形成してある」とする範囲内であれば、あらゆる設計は可能である。この設計変更の範囲内であるならばいずれの構成であって同様の効果を奏することが明らかである。
【図面の簡単な説明】
【００３６】
【図１】この発明の実施例１の加熱・保温パイプを有する装置の部分断面図。
【図２】前記加熱・保温パイプに取り付けられる管継手の外観斜視図。
【図３】第２継手部を閉状態とした断面図。
【図４】第２継手部を開状態とした断面図。
【図５】第１・第２カバー部の背面からの斜視図。
【図６】第１・第２カバー部の内面側が現れている斜視図。
【図７】管継手と第２カバー部との正面図。
【図８】管継手と第２カバー部との正面図。
【符号の説明】
【００３７】
ＣＨ      コードヒータ
Ｐ        パイプ
１        第１カバー部
２        第２カバー部
３        挿通路  
５        押し込み片
７        第２継手部
７４      操作部材
８        栓体挿入部
９        管継手
９０      第１継手部
９１      流体移動路
【図１】
0005060970.tif 000002
【図２】
0005060970.tif 000003
【図３】
0005060970.tif 000004
【図４】
0005060970.tif 000005
【図５】
0005060970.tif 000006
【図６】
0005060970.tif 000007
【図７】
0005060970.tif 000008
【図８】
0005060970.tif 000009